(57)【要約】【課題】受圧板及び噴出物の周囲への飛び散りを防止させながら噴出物を筒状体の前方へ真っ直ぐに飛び出させるとともに、輸送時等の振動等による受圧体の姿勢変動を防止させて正常に発射させることができるクラッカーを提供する。【解決手段】受圧板４１及び噴出物５０を筒状体１０内に連結繋止させて火薬体２０の爆発時に周囲に飛び散らせないようにしたクラッカーにおいて、受圧板４１は、後方に延在する左右一対の脚部４２を有し、一対の脚部４２を介して筒状体１０内に繋止されるとともに、一対の脚部４２が縮められて筒状体１０の内周面に当接するように、筒状体１０内に嵌装される。【選択図】      図１
2006266527.tif 000002
【特許請求の範囲】
【請求項１】
前端に閉塞された開口可能な発射部を有する筒状体と、この筒状体の後部位置に収納された火薬体と、この火薬体を前記筒状体内で保持する冠座体と、前記筒状体の噴射部と前記火薬体との間の前記筒状体内に嵌装され、前記火薬体の爆発時にその爆発圧を受けて前記筒状体の発射部側へ前進移動される受圧板と、前記筒状体の発射部と前記受圧板との間に配備され、前記受圧板の前進移動によって前記筒状体の噴射部から飛び出す噴出物とからなり、前記受圧板及び前記噴出物を前記筒状体内に連結繋止させて前記火薬体の爆発時に前記受圧板及び前記噴出物を周囲に飛び散らせないようにしたクラッカーにおいて、
前記受圧板は、後方に延在する左右一対の脚部を有し、前記一対の脚部を介して前記筒状体内に繋止されるとともに、前記一対の脚部が縮められて前記筒状体の内周面に当接するように、前記筒状体内に嵌装されたことを特徴とするクラッカー。
【請求項２】
前記一対の脚部は筒状体内の火薬体より後側に繋止されたことを特徴とする請求項１に記載のクラッカー。
【請求項３】
前記一対の脚部は前記冠座体に繋止されたことを特徴とする請求項２に記載のクラッカー。
【請求項４】
前記一対の脚部の先端部に夫々係止孔を設け、前記係止孔を前記冠座体の後部に係合させることによって冠座体に一対の脚部を係止したことを特徴とする請求項３に記載のクラッカー。
【請求項５】
前記一対の脚部は帯板であって、蛇行状に屈曲形成されたことを特徴とする請求項１乃至請求項４のいずれかに記載のクラッカー。
【請求項６】
前記一対の脚部は一枚の板材から前記受圧板とともに一体的に形成されたことを特徴とする請求項５に記載のクラッカー。
【請求項７】
前記受圧板に前記噴出物を固着したことを特徴とする請求項１乃至請求項６のいずれかに記載のクラッカー。
【発明の詳細な説明】
【技術分野】
【０００１】
本発明は、パーティー会場及びその他の場所において使用されているクラッカーの改良に関する。
【背景技術】
【０００２】
この種のクラッカーとして、発射後に噴出物を拾い集める手間を省略するクラッカーが例えば特許文献１に記載されている。
【０００３】
前記クラッカーは、図６及び図７に示すように、前端に発射口１ａを有し、この発射口１ａを折曲自在な複数の蓋片からなる閉塞蓋１ｂで開口可能に閉塞している筒状体１と、この筒状体１内に冠座２で保持されて収納され、筒状体１の後端に有する紐出孔１ｃから導出する引紐３ａが直結状に連設された火薬体３と、筒状体１の閉塞蓋１ｂと火薬体３との間の筒状体１内に気密に嵌装された受圧板４と、筒状体１の閉塞蓋１ｂと受圧板４との間の筒状体１内に収納された噴出物５とからなり、受圧板４の一部４ａを筒状体１の閉塞蓋１ｂに固着するとともに、受圧板４に噴出物５の一部５ａを固着して構成されている。
【０００４】
前記クラッカーを使用するに際しては、筒状体１の紐出孔１ｃから導出する火薬体３の引紐３ａを強く引っ張って火薬体３を爆発させると、その爆発圧を受けて受圧板４が爆発力を推進力として筒状体１の発射口１ａへ前進移動することにより、筒状体１の発射口１ａを閉塞している閉塞蓋１ｂを開口させると同時に該発射口１ａから受圧板４と閉塞蓋１ｂとの間に収納された噴出物５が外部へ飛び出す。このとき、受圧板４の一部４ａが筒状体１に固着されるとともに、受圧板４に噴出物５の一部５ａが固着されているので、受圧板４及び噴出物５は筒状体１から離れて周囲に飛び散ることがなく、これを拾い集めるような手間が省略されるようになっている。
【０００５】
【特許文献１】実開平７−３２３９８号公報
【発明の開示】
【発明が解決しようとする課題】
【０００６】
ところで、前述した従来のクラッカーでは、受圧板４及び噴出物５の周囲への飛び散りを防止する理由により、受圧体４の一端１ａを筒状体１に固着しているとともに、受圧板４に噴出物５の一端５ａを固着しているため、火薬体３を爆発させた際に、受圧板４が筒状体１との固着部を支点として円弧を描き移動し、これに伴い受圧板４に固着される噴出物５も円弧を描き移動し、これにより噴出物５は筒状体１の噴射口１ａから前方へ真っ直ぐではなく側方へ向かい飛び出す。このように、噴出物５が筒状体１の前方へ真っ直ぐにではなく側方へ向かい飛び出してしまうと、クラッカー本来の面白さを引き出すことができず、その場の雰囲気が損ねられる虞がある。
【０００７】
このような対策として、受圧板と筒状体側とを弛んだ状態で所定の伸び代を有する紐を介して連結し、その紐によって受圧板及び噴出物の周囲への飛び散りを防止することも考えられるが、受圧板を紐で筒状体側に連結しただけでは、受圧板は筒状体内で自由に遊動してしまうため、輸送時の振動や積み降ろし時の衝撃を受けるような場合、受圧板が遊動して筒状体の軸線に対し斜めに姿勢変動してしまい、火薬体の爆発圧を真正面に受けることができず正常な発射が困難となったり、噴出物を筒状体の前方へ真っ直ぐに飛び出させることができなかったりする。
【０００８】
そこで、本発明は、このような問題を解決するためになされたもので、受圧板及び噴出物の周囲への飛び散りを防止させながら噴出物を筒状体の前方へ真っ直ぐに飛び出させるとともに、輸送時等の振動等による受圧体の姿勢変動を防止させて正常に発射させることができるクラッカーを提供することを目的とする。
【課題を解決するための手段】
【０００９】
前記目的を達成するため、本発明は、前端に閉塞された開口可能な発射部を有する筒状体と、この筒状体の後部位置に収納された火薬体と、この火薬体を前記筒状体内で保持する冠座体と、前記筒状体の噴射部と前記火薬体との間の前記筒状体内に嵌装され、前記火薬体の爆発時にその爆発圧を受けて前記筒状体の発射部側へ前進移動される受圧板と、前記筒状体の発射部と前記受圧板との間に配備され、前記受圧板の前進移動によって前記筒状体の噴射部から飛び出す噴出物とからなり、前記受圧板及び前記噴出物を前記筒状体内に連結繋止させて前記火薬体の爆発時に前記受圧板及び前記噴出物を周囲に飛び散らせないようにしたクラッカーにおいて、前記受圧板は、後方に延在する左右一対の脚部を有し、前記一対の脚部を介して前記筒状体内に繋止されるとともに、前記一対の脚部が縮められて前記筒状体の内周面に当接するように、前記筒状体内に嵌装されたことを特徴とするクラッカーを提供する。
【００１０】
前記クラッカーでは、火薬体を爆発させると、その爆発圧を受圧板が受けることにより、受圧板は爆発圧を推進力として筒状体内を勢いよく発射部へ前進移動し、筒状体の閉塞している発射部を開口させると同時に該発射部から噴出物を飛び出させる。このとき、受圧板を一対の脚部を介して筒状体内に繋止させるとともに、一対の脚部を縮めた状態で筒状体内に嵌装したことにより、受圧板が筒状体内において平行移動しながら発射部へ直線的に移動して噴出物を筒状体の前方へ真っ直ぐに飛び出させることができるとともに、受圧板が筒状体から離れて飛び出すことが阻止されて周囲に飛び散ることはない。しかも、受圧板を一対の脚部を筒状体の内周面に当接させて筒状体内に嵌装されたことにより、受圧板は一対の脚部と筒状体との摩擦抵抗により筒状体内において遊動を制止され、輸送時の振動や積み降ろし時の衝撃を受けるような場合でも、受圧板は筒状体の軸線に対して斜めに姿勢変動することはなく。従って、受圧板及び噴出物の周囲への飛び散りを防止させながら噴出物を筒状体の前方へ真っ直ぐに飛び出させるとともに、輸送時等の振動等による受圧板の姿勢変化を防止させて正常に発射させることができる。
【００１１】
また、一対の脚部は筒状体内の火薬体より後側に繋止させるのが好ましい。これにより、火薬体を爆発させた際に、一対の脚部の係止部が火薬体の爆発圧を直接に受けることがないので、一対の脚部が千切れて受圧板が筒状体から離れて周囲に飛び散ることはない。
【００１２】
また、一対の脚部は前記冠座体に繋止させるのが好ましい。これにより、筒状体の外部で火薬体、冠座体、受圧板及び噴出物を組み立てて筒状体の内部に組み込むことができるので、クラッカーの組立作業を容易に行うことができる。
【００１３】
また、一対の脚部の先端部に夫々係止孔を設け、この係止孔を冠座体の後部に夫々係合させることによって冠座体に一対の脚部を係止させるのが好ましい。これにより、接着テープや接着糊等を用いずに冠座体に係止できるので、冠座体への係止作業が容易である。
【００１４】
また、一対の脚部は帯板であって、蛇行状に屈曲形成させるのが好ましい。これにより、火薬体を爆発させた際、受圧板は一対の脚部の屈曲変形を利用して筒状体の発射部へ前進移動する。また、受圧板を筒状体内に嵌装させる際、一対の脚部を蛇行状に屈曲して押し縮めると、一対の脚部の屈曲された山部が筒状体の内周面に当接するので、受圧板を筒状体内において容易に遊動制止させることができる。
【００１５】
また、一対の脚部は一枚の板材から受圧板とともに一体的に形成させるのが好ましい。これにより、受圧体と一対の脚部とを組み立てる作業を不要とし、その製造効率を向上させて製造コストの削減を図れる。
【００１６】
更に、前記受圧板に噴出物を固着させるのが好ましい。これにより、火薬体の爆発力を受けて受圧板が筒状体の発射部へ前進移動する際、噴出物は受圧板によってより遠くへ飛び出すことができるとともに、噴出物の周囲への飛び散りをより確実に防止させることができる。
【発明の効果】
【００１７】
本発明のクラッカーによれば、受圧板及び噴出物の周囲への飛び散りを防止しながら噴出物を筒状体の前方へ真っ直ぐに飛び出させるとともに、輸送時等の振動等による受圧板の姿勢変動を防止させて正常に発射させることができるので、クラッカー本来の面白さを引き出すことができ、その場の雰囲気を盛り上げることが期待できる。
【発明を実施するための最良の形態】
【００１８】
以下、本発明に係るクラッカーの実施形態を図面に従って説明する。
【００１９】
本実施形態のクラッカーは、筒状体１０と、この筒状体１０の下部位置に収納される火薬体２０と、この火薬体２０を筒状体１０内で保持する冠座体３０と、この冠座体３０に係止されて筒状体１０に収納される受圧体４０と、この受圧体４０に固着される噴出物５０とから構成されている。
【００２０】
筒状体１０は、ボール紙等の厚紙によって先端に至るに従って径を大きくする略円錐筒形状に形成され、前端に発射口１１を有し、後端に紐出孔１２を有する。筒状体１０は、前端に折曲自在に連設した複数の蓋片からなる閉塞蓋１３で発射口１１が開口可能に閉塞されている。
【００２１】
火薬体２０は、所定量の火薬を薄い紙等で棒状に巻装して形成されたもので、適宜長さの引紐２１が直結状に連設され、この引紐２１を強く引っ張ることにより火薬が爆発するようになっている。火薬体２０は、冠座体３０により筒状体１０の内部に保持されている。
【００２２】
冠座体３０は、合成樹脂等によって漏斗状に形成され、その後部に凸部３１を有し、この凸部３１に保持する火薬体２０の引紐２１を挿通させている。冠座体３０は、外周を筒状体１０の内周面に密着して当接させることにより筒状体１０内に保持されている。冠座体３０は、火薬体２０の引紐２１を凸部３１に挿通させた状態で、火薬体２０を保持させている。ここで、冠座体３０の凸部３１に挿通された火薬体２０の引紐２１を更に筒状体１０の紐出孔１２に挿通させることにより、筒状体１０の外部へ導出させる。
【００２３】
受圧体４０は、ボール紙等の厚紙によって形成され、略円板状の受圧板４１と、この受圧板４１の両端より夫々延びる細長い帯板状の左右一対の脚部４２とからなり（図２参照）、受圧板４１の両端から左右一対の脚部４２を同方向（筒状体１０の後方）に向けて折り返している。受圧板４１は、火薬体２０の爆発圧を受けるもので、筒状体１０の閉塞蓋１３と火薬体２０との間の筒状体１０内に気密に嵌装される。一対の脚部４２は、先端部に冠座体３０の凸部３１に嵌挿可能な係止孔４３を夫々設け、この係止孔４３を冠座体３０の凸部３１に夫々嵌挿させることよって冠座体３０に受圧板４１を係止させている。また、一対の脚部４２は、中間部に長手方向に沿って一定間隔で折り目４４を設け（図２参照）、この折り目４４により蛇行状に屈曲形成させることによって伸縮自在に構成されている。一対の脚部４２の長さは、伸びきった状態で筒状体１０の噴射口１１ａから受圧板４１が若干飛び出すように設定されている。
【００２４】
受圧体４０を火薬体２０が保持された冠座体３０に係止させることにより、図３に示すように、火薬体２０、冠座体３０、受圧体４０及び噴出物５０を筒状体１０の外側で組み立てて、これを筒状体１０の内部に組み込んでいる。このとき、受圧体４０は、一対の脚部４２を蛇行状に屈曲変形させた状態、即ち、押し縮ませた状態で、受圧板４１を筒状体１０内に気密に嵌装させるとともに、一対の脚部４２の屈曲させた山部を筒状体１０の内周面に接触させる。受圧体４０は、一対の脚部４２の屈曲させた山部を筒状体１０の内周面に当接させて受圧板４１を筒状体１０内に嵌装することにより、受圧板４１を一対の脚部４２と筒状体１０との摩擦抵抗により筒状体１０内において自由に遊動するのを制止している。
【００２５】
噴出物５０は、小花等の造花によって構成され、受圧体４０の受圧板４１に適宜の手段で固着されている。
【００２６】
本発明のクラッカーは、以上の構成からなり、以下に該クラッカーを使用したときの状態について説明する。筒状体１０の紐出孔１２から導出される火薬体２０の引紐２１を強く引っ張って火薬体２０を爆発させると、その爆発圧を受ける受圧体４０の受圧板４１が爆発圧を推進力として筒状体１０内を勢いよく瞬間的に筒状体１０の発射口１１へ前進移動するため、筒状体１０の発射口１１を閉塞している閉塞蓋１３が開口されると同時に該発射口１１から受圧体４０の受圧板４１に固着されている噴出物５０が筒状体１０の前方へ飛び出す。
【００２７】
本発明のクラッカーでは、受圧体４０が冠座体３０に連結係止されるとともに、その受圧体４０の受圧板４１に噴出物５０が固着されたことにより、受圧体４０の受圧板４１及び噴出物５０は筒状体１０から離れて周囲へ飛び出すことが阻止され、受圧体４０の受圧板４１及び噴出物５０が周囲に飛び散ることがない。
【００２８】
また、本発明のクラッカーでは、受圧体４０の受圧板４１が一対の脚部４２を押し縮めた状態で筒状体１０内に嵌装されたことにより、火薬体２０が爆発してその爆発圧を受圧体４０の受圧板４１が受けると、受圧体４０の受圧板４１は一対の脚部４２を伸ばしながら筒状体１０の軸線に沿って平行移動で発射口１１へ移動し、これによって受圧体４０の受圧板４１に固着される噴出物５０が筒状体１０の前方へ真っ直ぐに飛び出す。
【００２９】
更に、本発明のクラッカーでは、受圧体４０の受圧板４１が一対の脚部４２を筒状体１０の内周面に当接させて筒状体１０内に嵌装されたことにより、受圧体４０の受圧板４１が一対の脚部４２と筒状体１０との摩擦抵抗により筒状体１０内において遊動を制止されている。これにより、輸送時の振動や積み降ろし時の衝撃を受けるような場合でも、受圧体４０の受圧板４１が筒状体４１の軸線に対して斜めに姿勢変動することがなく、これによって火薬体２０の爆発圧を真正面に受けることができて正常な発射を確保できる。
【００３０】
本発明のクラッカーによれば、受圧体４０の受圧板４１及び噴出物５０の周囲への飛び散りを防止しながら噴出物５０を筒状体１０の前方へ真っ直ぐに飛び出させるとともに、輸送時等の振動等による受圧体４０の受圧板４１の姿勢変化を防止させて正常に発射することができるので、クラッカー本来の面白さを引き出すことができ、その場の雰囲気を盛り上げることが期待できる。
【００３１】
尚、上記実施形態においては、筒状体１０を厚紙によって略円錐筒形状に形成しているが、筒状体１０の形状は略円錐筒形状に限定されるものではなく、例えば略多角錐筒形状等に形成することもできるし、また、筒状体１０の材質も厚紙に限定されるものではなく、例えば合成樹脂等で形成することもできる。
【００３２】
また、上記実施形態においては、筒状体１０の噴出口１１を筒状体１０の先端に折曲自在に連設した複数の蓋片からなる閉塞蓋１３で閉塞しているが、その他の手段で閉塞することもできる。例えば、筒状体１０の噴出口１１と略同形の厚紙又は合成樹脂等からなる蓋体を筒状体１０の噴出口１１に嵌合させて閉塞することもできる。
【００３３】
また、本実施形態においては、受圧体４０を厚紙によって形成しているが、受圧体４０の材質は厚紙に限定されるものではなく、例えば合成樹脂等で形成することもできる。
【００３４】
また、上記実施形態においては、噴出物として、小花等の造花を使用する場合について説明したが、例えば複数の小巻テープや多数の国旗を連鎖した万国旗等を使用することもできる。
【００３５】
また、上記実施形態においては、受圧体４０の受圧板４１に噴出物５０を固着する場合について説明したが、受圧体４０の受圧板４１以外に噴出物５０を固着することもできる。
【００３６】
また、上記実施形態においては、受圧体４０を冠座体３０に連結係止する場合について説明したが、組立作業性を考慮しなければ、受圧体４０を筒状体１０に連結繋止することもできる。その場合、繋止部が火薬体２０の爆発圧を直接に受けないように火薬体２０よりも後側に繋止することが好ましい。
【図面の簡単な説明】
【００３７】
【図１】本発明に係るクラッカーの一実施形態を示す概略縦断面図である。
【図２】上記クラッカーの受圧体の展開図である。
【図３】火薬体、冠座体、受圧体及び噴出物を組み立てた状態を示す図面である。
【図４】上記クラッカーの使用状態を示す概略縦断面図である。
【図５】従来のクラッカーを示す概略縦断面図である。
【図６】従来のクラッカーの使用状態を示す斜視図である。
【符号の説明】
【００３８】
１０…筒状体、１１…発射口、１２…紐出孔、１３…閉塞蓋、２０…火薬体、２１…引紐、３０…冠座体、３１…凸部、４０…受圧体、４１…受圧板、４２…脚部、４３…係止孔、４４…折り目、５０…噴出物
【図１】
2006266527.tif 000003
【図２】
2006266527.tif 000004
【図３】
2006266527.tif 000005
【図４】
2006266527.tif 000006
【図５】
2006266527.tif 000007
【図６】
2006266527.tif 000008